(57)【要約】     【課題】わかりやすい紹介文を作成するといったような煩雑な作業を必要としない形で、各メンバが，自身のプロフィールを公開できる環境を実現できるプロフィール公開装置を提供する。    【解決手段】インターネットに接続されて使用されるプロフィール公開装置を、各種質問に対する各メンバの答えをＷｅｂページ等で公開する機能を有する装置であると共に、質問の自動作成が可能な装置として構成しておく。    【選択図】図２
2008282358.tif 000002
【特許請求の範囲】
【請求項１】
複数のメンバのそれぞれについて、そのメンバが各種質問に対して入力した答えを質問に対応づけた形で記憶しておくための情報記憶手段と、
前記情報記憶手段に記憶されている各答えと対応する質問とを含む情報を，メンバ毎に，インターネット上に公開可能な情報公開手段と、
或るメンバにより質問の自動作成が指示されたときに、当該メンバが指定した情報に基づいて自動的に質問を作成し、作成した質問に対する当該メンバの答えが入力されたときに、その答えを作成した質問に対応づけた形で前記情報記憶手段に記憶する質問追加手段と
を備えることを特徴とするプロフィール公開装置。
【請求項２】
前記質問追加手段が，
前記メンバが指定した情報と前記メンバが入力した質問文とに基づき、複数の選択肢の中から答えを選択させる質問を作成する手段である
ことを特徴とする請求項１記載のプロフィール公開装置。
【請求項３】
前記質問追加手段が，
複数の選択肢の中から答えを選択させる質問を，質問文の入力が不要な形で作成する手段である
ことを特徴とする請求項１又は請求項２記載のプロフィール公開装置。
【請求項４】
各メンバが指定したコンテンツからＲＳＳフィードを取得し管理するＲＳＳフィード取得手段を、さらに備え、
前記質問追加手段が、
或るメンバにより質問の自動作成が指示されたときに、当該メンバが指定したコンテンツから前記ＲＳＳフィード取得手段が取得し管理しているＲＳＳフィードに基づいて自動的に質問を作成する手段である
ことを特徴とする請求項１乃至請求項３のいずれかに記載のプロフィール公開装置。
【請求項５】
前記情報公開手段が、
前記情報記憶手段に記憶されている各答えと対応する質問とが示されるＷｅｂページを，メンバ毎に，インターネット上に公開可能な手段である
ことを特徴とする請求項１乃至請求項４のいずれかに記載のプロフィール公開装置。
【請求項６】
前記情報公開手段が、
それを使用することにより前記情報記憶手段に記憶されている各答えと対応する質問とが示されることになるブログパーツを，メンバ毎に，インターネット上に公開可能な手段である
ことを特徴とする請求項１乃至請求項５のいずれかに記載のプロフィール公開装置。
【発明の詳細な説明】
【技術分野】
【０００１】
本発明は、インターネットに接続されて使用されるプロフィール公開装置に関する。
【背景技術】
【０００２】
周知のように、近年、個人が，その内容を管理，更新しているＷｅｂサイト（ブログ等））が増えてきている。そして、そのようなＷｅｂサイトは、いずれかのページに、管理者の紹介文が掲載されているものとなっているのであるが、自身の性格や嗜好等を他者が理解しやすい紹介文を作成することは、大変なことである。
【発明の開示】
【発明が解決しようとする課題】
【０００３】
そこで、本発明の課題は、自身についてのわかりやすい紹介文を作成するといったような煩雑な作業を必要としない形で、各メンバが，自身のプロフィールを公開できる環境を実現できるプロフィール公開装置を提供することにある。
【課題を解決するための手段】
【０００４】
上記課題を解決するために、本発明のプロフィール公開装置は、複数のメンバのそれぞれについて、そのメンバが各種質問に対して入力した答えを質問に対応づけた形で記憶しておくための情報記憶手段と、情報記憶手段に記憶されている各答えと対応する質問とを含む情報を，メンバ毎に，インターネット上に公開可能な情報公開手段と、或るメンバにより質問の自動作成が指示されたときに、当該メンバが指定した情報に基づいて自動的に質問を作成し、作成した質問に対する当該メンバの答えが入力されたときに、その答えを作成した質問に対応づけた形で情報記憶手段に記憶する質問追加手段とを備える。
【０００５】
すなわち、本発明のプロフィール公開装置は、各種質問に対する各メンバの答えを，公開可能であり，かつ，質問の自動作成が可能な構成を有するものとなっている。そして、各種質問に対する各メンバの答えは、各メンバのプロフィールと見なせるものなのであるから、このプロフィール公開装置を用いておけば、自身の紹介文を作成するといったような煩雑な作業を必要としない形で，各メンバが，自身のプロフィールを公開できる環境を実現できることになる。
【０００６】
本発明のプロフィール公開装置を実現する際には、質問追加手段を、『答えをキーボード入力させる質問を，質問文の入力が不要な形で作成する手段』としておくことも、『メンバが指定した情報とメンバが入力した質問文とに基づき、複数の選択肢の中から答えを選択させる質問を作成する手段』としておくことも、『複数の選択肢の中から答えを選択させる質問を，質問文の入力が不要な形で作成する手段』としておくことも、出来る。
【０００７】
また、本発明のプロフィール公開装置を実現する際には、各メンバが指定したコンテンツからＲＳＳフィードを取得し管理するＲＳＳフィード取得手段を付加しておくと共に、質問追加手段として、或るメンバにより質問の自動作成が指示されたときに、当該メンバが指定したコンテンツからＲＳＳフィード取得手段が取得し管理しているＲＳＳフィードに基づいて自動的に質問を作成する手段を採用しておくことが出来る。
【０００８】
また、本発明のプロフィール公開装置を実現する際には、情報公開手段を、『情報記憶手段に記憶されている各答えと対応する質問とが示されるＷｅｂページを，メンバ毎に，インターネット上に公開可能な手段』や、『それを使用することにより情報記憶手段に記憶されている各答えと対応する質問とが示されることになるブログパーツを，メンバ毎に，インターネット上に公開可能な手段』や、『それらの手段の機能を併せ持つ手段』としておくことが出来る。
【発明を実施するための最良の形態】
【０００９】
以下、本発明を実施するための最良の形態を、図面を参照して詳細に説明する。
【００１０】
まず、図１乃至図３を用いて、本発明の一実施形態に係るプロフィール公開装置１０の概要を、説明する。
【００１１】
図１に示してあるように、本実施形態に係るプロフィール公開装置１０は、メンバデータベース（以下、メンバＤＢと表記する）を備えた装置である。また、プロフィール公開装置１０は、インターネットに接続されて使用される装置となっている。
【００１２】
このプロフィール公開装置１０が備えるメンバＤＢは、各メンバ（所定の会員登録手続きを行った者）の属性情報（メンバ名，パスワード，ハンドルネーム，性別，生年月日，星座，血液型，…）や，各メンバのＲＳＳフィード取得対象情報，ＲＳＳフィード情報，質問・回答情報及びプロフィール紹介パーツ情報（各情報の詳細は後述）を記憶しておくためのデータベースである。
【００１３】
そして、本実施形態に係るプロフィール公開装置１０は、各種プログラムやデータを比較的に高機能なコンピュータにインストールすることによって構成された、各メンバに、図２に示したような内容のプロフィールページ〔各種質問に対する，他人（図では、“あきら”）の答えが示されているＷｅｂページ〕や，図３に示したように変化するプロフィール紹介パーツ〔ブログ等に貼り付けておくと、各種質問に対する自身の答えなどが，閲覧者に提示されることになるパーツであると共に、それをクリックすると、その時点において表示されている情報の元となったコンテンツ（プロフィールページ等）が表示されるパーツ〕を提供できる装置（一種のＷｅｂサーバ）となっている。
【００１４】
以上のことを前提に、以下、本実施形態に係るプロフィール公開装置１０の構成及び動作をさらに具体的に説明する。
【００１５】
本実施形態に係るプロフィール公開装置１０は、ＰＣ（Ｗｅｂブラウザ）を利用してアクセスしてきたユーザ（メンバ，非メンバ）に、図４に示した構成のトップページを提供する装置として構成されている。
【００１６】
このトップページ上のアイテム２０は、それを操作（クリック）すると、ログイン画面（メンバ名及びパスワードを入力するための画面）が表示されるアイテムである。
【００１７】
トップページ上の，点線枠２１内の各アイテムは、領域２２内に表示する答えの回答者を、年代（１０歳未満，１０代，２０代等）や性別で指定（制限）するためのアイテムである。
【００１８】
領域２２は、各種質問に対する各メンバ（点線枠２１内の各アイテムにより指定されている条件を満たすメンバ）の答えが、スライド形式で〔所定時間（本実施形態では、１０秒）が経過する度に表示内容が変更される形で〕、表示される領域である。この領域２２は、質問が，答えを選択肢から選択するタイプのものであった場合には，答えの集計結果がグラフ表示（図４参照）され、質問が，答えをキーボード入力するタイプのものであった場合には、ランダムに選択した３人の答えが表示される領域となっている。
【００１９】
領域２２内に設けられているアイテム２２ａは、それを操作すると、領域２２のスライド動作が停止する（領域２２の内容が変わらなくなる）アイテムである。アイテム２２ｂは、それを操作すると、次の質問及び答えが領域２２内に表示されるアイテムである。なお、領域２２は、アイテム２２ａが操作された場合には、このアイテム２２ｂの代わりに、スライド動作を再開させるためのアイテムが表示されるものとなっている。
【００２０】
また、本実施形態に係るプロフィール公開装置１０は、ログインを行ったメンバ（メンバＤＢ内にきおくされているものと同じメンバ名とパスワードとの組み合わせを，ログイン画面に入力できた者）に、図５に示した構成のメンバトップページを提供する装置となっている。
【００２１】
このメンバトップページは、“コンタクトの新着情報”欄内や“最近ブログを訪れた読者”欄内に示されている他メンバに関する各写真が、対応するメンバのプロフィールページ（図２）にリンクされているＷｅｂページである。なお、詳細説明は省略するが、プロフィールページ（図２）は、各質問が、『質問に対する答えを、回答者の年代（１０歳未満，１０代，２０代等）や性別を指定／制限した形で確認できるＷｅｂページ』（図４のトップページ上の領域２２，波線枠２１内の各種アイテムを主要要素としたＷｅｂページ）にリンクされているＷｅｂページとなっている。
【００２２】
メンバトップページ上の領域３２は、メンバが指定したコンテンツ（ＲＳＳフィードを取得できるブログページ等）へのリンクが表示される領域である。この領域３２は、“コンテンツを追加する”を操作すると、図６に示したような内容のものに変化する（ＲＳＳフィードを取得できるコンテンツのＵＲＬをメンバが指定可能な状態となる）領域となっており、プロフィール公開装置１０は、“コンテンツを追加する”の操作で始まる一連の操作によりメンバが設定／指定した各コンテンツのＵＲＬを，上記したＲＳＳフィード取得対象情報としてメンバＤＢ内に記憶する装置となっている。さらに、プロフィール公開装置１０は、ＲＳＳフィード取得対象情報が示している各コンテンツからＲＳＳフィードを取得し、取得したＲＳＳフィードを，上記したＲＳＳフィード情報（この情報は、コンテンツ別に、ＲＳＳフィードが分けられている情報）としてメンバＤＢ内に記憶する装置となっている。
【００２３】
メンバトップページ（図５）上の領域３１は、メンバ（メンバトップページの閲覧者）が未回答の２つの質問（各メンバが作成したもの，或いは，プロフィール公開装置１０の運用者が予め用意したもの）が示される領域である。
【００２４】
なお、図５に示したメンバトップページは、一方の質問だけに“答える”ボタンが表示されているものとなっているが、ログイン後の最初に表示されるメンバトップページは、いずれの質問についても、“答える”ボタンが表示されているものである。プロフィール公開装置１０は、このメンバトップページを表示中のＰＣ（Ｗｅｂブラウザ）が、答えが入力されている状態で或る質問についての“答える”ボタンが押下された際に送信するＨＴＴＰリクエスト（本実施形態では、質問及び答えを含むＨＴＴＰリクエスト）を受信した場合、当該ＨＴＴＰリクエストに含まれる答えを，当該ＨＴＴＰリクエストに含まれる質問に対する答えとして，メンバＤＢ内の現アクセス者に関する質問・回答情報に追加する装置となっている。また、プロフィール公開装置１０は、或るメンバがログインした場合、当該メンバが未回答の質問の中から，当日（アクセス時刻によっては前日）に回答した人数の降順で２つの質問を選択し、それらの質問が領域３１上に表示されるメンバトップページを，当該メンバに提供する装置ともなっている。
【００２５】
領域３１の下部に設けられている“質問を作成する”は、それを操作すると、図７に示したように、“サイト運営者から送られてくる質問を設置する”ラジオボタン，“自動的に自分に関する質問を作成する”ラジオボタン，“自分で質問を作成する”ラジオボタン，“質問を作る”ボタン等が、領域３１内に追加表示されるアイテムである。
【００２６】
“サイト運営者から送られてくる質問を設置する”ラジオボタンは、それを選択して“質問を作る”ボタンを押下すると、プロフィール公開装置１０の運用者が予め用意している質問が、当該操作を行った者（以下、操作者と表記する）が作った質問として登録されることになるアイテムである。なお、質問の登録（質問の，操作者が作った質問としての登録）とは、ＰＣから所定のＨＴＴＰリクエスト（図７の“質問を作る”ボタンの操作時等にＰＣ（Ｗｅｂブラウザ）が送信するリクエスト）が送信されてきたときにプロフィール公開装置１０が実行する『質問を，メンバＤＢ内の，操作者に関する質問・回答情報に追加する処理』のことであり、本プロフィール公開装置１０は、操作者が質問を作成した場合（操作者が作成した質問の登録が完了した場合）、領域３１の上部に設けられている“作った質問”に関するアイテム（図５における“３８問”）にリンクされたＷｅｂページ（過去に作成した未回答，回答済みの質問が表示されるＷｅｂページ）に、操作者が作成した質問を追加する装置となっている。
【００２７】
“自分で質問を作成する”ラジオボタンは、それを選択して“質問を作る”ボタンを押下すると、領域３１の内容が、図８に示したものに変わるアイテムである。
【００２８】
この領域３１（図８）上のテキストボックスは、質問（文字列）をキーボード入力できるアイテムである。“画像をアップロードする”は、それを操作すると、図９に示したように、アップロードする画像を指定するためのアイテムや、画像を実際にアップロードさせるためのアイテムが，領域３１内に追加表示されることになるアイテムである。“選択肢を追加する”（図８，図９）は、それを操作すると、図１０，図１１に示したように、選択肢を入力するためのテキストボックスが領域３１内に追加表示されることになるアイテムである。
【００２９】
図８〜図１１における“質問を作る”ボタンは、必須情報を入力した後に，それを操作すると、操作者が作った質問（画像無し選択肢無しの質問，画像付き選択肢無しの質問，画像無し選択肢ありの質問，又は，画像付き選択肢ありの質問）が登録されることになるボタンである。より具体的には、“質問を作る”ボタンは、それを操作すると、領域３１の下部が図１２に示したものに変更され、この図における“はい”ボタンを操作すれば、操作者が作った質問が登録されることになるボタンとなっている。
【００３０】
“自動的に自分に関する質問を作成する”ラジオボタン（図７）は、それを選択して“質問を作る”ボタンを押下すると、領域３１の内容が、図１３に示したものに変わるアイテムである。
【００３１】
すなわち、“自動的に自分に関する質問を作成する”ラジオボタンは、それを選択して“質問を作る”ボタンを押下すると、領域３１の内容が、メンバトップページ（図５）の領域３２内に示されている各コンテンツに関するチェックボックス（図１３と図５とは非対応），“全て選択する”チェックボックス，期間を指定する／指定しないための各種アイテム，キーワード入力欄等を備えたもの（以下、自動作成用領域３１と表記する）に変更されるアイテムとなっている。
【００３２】
そして、本実施形態に係るプロフィール公開装置１０は、この自動作成用領域３１上の“質問を作る”ボタンの操作の結果としてＰＣ（Ｗｅｂブラウザ）が送信する，自動作成用領域３１上の各種アイテムの設定値を含むＨＴＴＰリクエスト（以下、質問自動作成要求と表記する）を受信した場合、操作者が質問の作成源として指定したコンテンツからのＲＳＳフィード情報（メンバＤＢ内に，操作者に関するものとして記憶されている情報）を参照することにより、操作者用の質問（キーワードの指定がある場合には、当該キーワードと関係する質問、キーワードの指定がない場合には、操作者が質問の作成源として指定したコンテンツで良く使用されている語句と関係する質問）を作成すると共に、その質問の答えとなり得る４つの選択肢を，必要である場合には，他のＲＳＳフィード情報も利用して用意する質問作成処理（既存の形態素解析を利用した処理）を行い、その処理結果に基づき、領域３１（自動作成用領域３１）の内容を図１４に示したものに変更し、この図の領域３１上の“質問を作る”ボタンが操作されたときに、自動作成した選択肢付きの質問の登録を行う装置となっている。
【００３３】
さらに、プロフィール公開装置１０は、図１５に示した構成のプロフィール紹介パーツ設定ページを各メンバに提供できる装置となっている。
【００３４】
このプロフィール紹介パーツ設定ページ上の“表示を設定する”欄（“表示を設定する”から、“読者チェックを設定する”までの間）に設けられている“保存する”ボタンを以外の各アイテムは、上記したプロフィール紹介パーツ（図３）のタイプ（サイズ）やデザイン，パーツ内に表示する事項を指定するためのアイテムである。“保存する”ボタンは、その押下時に、“表示を設定する”欄に設けられている各アイテムの設定値が，操作者に関するプロフィール紹介パーツ情報としてメンバＤＢ内に記憶されるボタンである。この“保存する”ボタンは、その押下時に、プロフィール紹介パーツ設定ページの下部のテキストボックス内に、プロフィール紹介パーツ用のタグが表示されることになるボタンともなっている。
【００３５】
そして、プロフィール紹介パーツ設定ページ上の“ココログに貼付ける”ボタン（ココログは、ニフティ株式会社の商標）は、“保存する”ボタンの押下後、それを押下すると、操作者のココログ（ブログ）に自動的にプロフィール紹介パーツが貼り付けられることになるボタンとなっている。
【００３６】
以上の説明から明らかなように、本実施形態に係るプロフィール公開装置１０は、各種質問に対する各メンバの答えを，公開する装置であると共に、質問の自動作成が可能な装置となっている。そして、各種質問に対する各メンバの答えは、各メンバのプロフィールと見なせるものなのであるから、本実施形態に係るプロフィール公開装置１０を用いておけば、自身の紹介文を作成するといったような煩雑な作業を必要としない形で各メンバが，自身のプロフィールを公開できる環境を、実現できることになる。
【００３７】
《変形形態》
上記したプロフィール公開装置１０は、各種の変形を行うことが出来る。例えば、プロフィール公開装置１０を、答えのキーボード入力が必要な質問も作成できる装置（選択肢を用意しない装置／用意した選択肢を使用するか否かを指定できる装置）に変形することが出来る。また、プロフィール公開装置１０は、質問の自動作成は出来ないが、入力された質問の回答として使用可能な選択肢を用意することが出来る装置に変形することも出来る。
【図面の簡単な説明】
【００３８】
【図１】本発明の一実施形態に係るプロフィール公開装置の構成及び使用形態の説明図。
【図２】実施形態に係るプロフィール公開装置がメンバに提供するプロフィールページの説明図。
【図３】実施形態に係るプロフィール公開装置がメンバに提供するプロフィール紹介パーツの説明図。
【図４】実施形態に係るプロフィール公開装置がメンバ／非メンバに提供するトップページの説明図。
【図５】実施形態に係るプロフィール公開装置がメンバに提供するメンバトップページの説明図。
【図６】実施形態に係るプロフィール公開装置に対する，コンテンツの追加手順を説明するための図。
【図７】実施形態に係るプロフィール公開装置における，質問の作成手順を説明するための図。
【図８】実施形態に係るプロフィール公開装置における，質問の手動作成手順を説明するための図。
【図９】実施形態に係るプロフィール公開装置における，質問の手動作成手順を説明するための図。
【図１０】実施形態に係るプロフィール公開装置における，質問の手動作成手順を説明するための図。
【図１１】実施形態に係るプロフィール公開装置における，質問の手動作成手順を説明するための図。
【図１２】実施形態に係るプロフィール公開装置における，質問の手動作成手順を説明するための図。
【図１３】実施形態に係るプロフィール公開装置における，質問の自動作成手順を説明するための図。
【図１４】実施形態に係るプロフィール公開装置における，質問の自動作成手順を説明するための図。
【図１５】実施形態に係るプロフィール公開装置がメンバに提供するプロフィール紹介パーツ設定ページの説明図。
【符号の説明】
【００３９】
１０  プロフィール公開装置
【図１】
2008282358.tif 000003
【図２】
2008282358.tif 000004
【図３】
2008282358.tif 000005
【図４】
2008282358.tif 000006
【図５】
2008282358.tif 000007
【図６】
2008282358.tif 000008
【図７】
2008282358.tif 000009
【図８】
2008282358.tif 000010
【図９】
2008282358.tif 000011
【図１０】
2008282358.tif 000012
【図１１】
2008282358.tif 000013
【図１２】
2008282358.tif 000014
【図１３】
2008282358.tif 000015
【図１４】
2008282358.tif 000016
【図１５】
2008282358.tif 000017